(57)【要約】【課題】マルチ電力の入力の選択による暖房供給及び省エネ効果を発揮すること。【解決手段】電源選択機器、加熱装置及び蓄積タンクを含む。該電源選択機器は分配セレクター及び無停電電源装置を有し、該分配セレクターは無停電電源装置内に位置され、該電源選択機器の電力入力選択を制御し、該加熱装置は該電源選択機器に接続され、内部に制御手段とヒータとが設置され、該制御手段は該ヒータを制御し、該蓄積タンクは該加熱装置のヒータに連結され、該蓄積タンクはタンク及び液体を含み、該液体はタンク内に蓄積される。【選択図】図１
0003148208.tif 000002
【実用新案登録請求の範囲】
【請求項１】
無停電電源装置と、前記無停電電源装置内に位置され、電力入力選択を制御するための分配セレクターとを有する電源選択機器と、
前記電源選択機器に接続され、内部にヒータと、前記ヒータを制御する制御手段とが設置された加熱装置と、
前記加熱装置のヒータに連結され、タンク及び前記タンク内に蓄積された液体を含む蓄積タンクと、を含む複数の電源選択のある暖房蓄積装置。
【請求項２】
前記分配セレクターは、直流電流入力及び交流電流入力を選択するものであることを特徴とする請求項１に記載の複数の電源選択のある暖房蓄積装置。
【請求項３】
前記電力入力は、ソーラー発電、風力発電、水力発電、市電型交流電のうち少なくとも一つの電源入力で電源入力源として分散するように分配して給電することを特徴とする請求項１に記載の複数の電源選択のある暖房蓄積装置。
【請求項４】
前記加熱装置は、石英抵抗線、赤外線セラミック、セラミック電熱、ハロゲンランプのいずれかを用いることを特徴とする請求項１に記載の複数の電源選択のある暖房蓄積装置。
【請求項５】
前記蓄積タンク内の液体は、水、油のいずれか一つを用いることを特徴とする請求項１に記載の複数の電源選択のある暖房蓄積装置。
【請求項６】
前記蓄積タンクは、さらに循環システムに接続されたことを特徴とする請求項１に記載の複数の電源選択のある暖房蓄積装置。
【請求項７】
前記循環システムは、少なくとも一つの通気管及び少なくとも一つのファンを設けており、暖房を分配して送出することを特徴とする請求項６に記載の複数の電源選択のある暖房蓄積装置。
【請求項８】
前記分配セレクターは、力率改善装置、少なくとも一つのMPPT充電器、及びコンバータを有し、前記MPPT充電器が前記コンバータに接続され、さらに前記力率改善装置に並列に接続されたことを特徴とする請求項１に記載の複数の電源選択のある暖房蓄積装置。
【請求項９】
前記無停電電源装置は、充電器及びバッテリを含むことを特徴とする請求項１に記載の複数の電源選択のある暖房蓄積装置。
【考案の詳細な説明】
【技術分野】
【０００１】
本考案は、複数の電源選択のある暖房蓄積装置に係り、特に、電源選択機器、加熱装置及び蓄積タンクの組合設計によって、マルチ電源入力選択及び省エネルギーの効果を有し、住宅や、会社、マーケット等の様々な場合の暖房空調機器に適合可能な複数の電源選択のある暖房蓄積装置に関するものである。
【背景技術】
【０００２】
地球温暖化による気候変化効果の影響を受けて、地球各地の温度差の変化が益々大きくなっている。
冬季においては非常に寒くなりつつあり、例えば、人々の手足が凍ったり、行動が遅くなったりまたは筋肉硬直等になり易くなる。保温に注意を払わないと体温低下に伴い意識が朦朧としてり、判断能力を喪失したり、または失神や昏迷等の現象に陥って、生命の危険が及ぶため暖房機の使用が非常に重要となる。
特に、昼間と夜間での温度差の変化が大きい時は、体温がより失い易くなり、しかも自分で察知しないため、暖房機器は、人々が暖かさ保持するうえで不可欠な電気製品となっている。
【０００３】
一般に、従来の暖房機は、冷暖房機や、セラミック電気暖房、ハロゲン電気暖房、または、赤外線暖房等が知られている。
これらの暖房機は何れも、電力入力として市電型交流電を使用しており、エネルギーが不足してエネルギー問題が深刻化している現代社会においては、このような市電型交流電に完全に頼って電力を供給する方式は、明らかに経済的ではない。
従来の暖房機器は、たくさんの電力消費に伴って電気代の支払が増加しているため、一般の市電型交流電の電力入力の選択方式は、将来の暖房機市場の要求に対して明らかに満足できるものではない。
【０００４】
エネルギーの使用観念の変化に伴い、代替エネルギーとしてソーラー発電が提案されている。
大自然から提供された永久エネルギーにより発電するものであるが、ソーラー発電は、昼間に日差しがある時のみ光電変換をして電力として使用可能であるが、室内温度が急激に低下する夜間において、暖房機器を使用したいときは、光電変換による発電を使用できないといったように、使用する上ではなお多く制限がある。
【０００５】
本考案は前記した従来の欠点に鑑みて成されたもので、本考案は、複数の電源選択のある暖房蓄積装置の提出を期し、専念に研究や設計、組み立てをし、消費者が使用できる暖房蓄積装置を提供するものである。
【考案の開示】
【考案が解決しようとする課題】
【０００６】
本考案の主な目的は、電源選択機器、加熱装置及び蓄積タンクの組合設計によって、該電源選択機器は、分配セレクターを有し、該分配セレクターは、入力端の電力入力を適当に分配し、かつ、電力を出力して暖房を供給するように該加熱装置を運転させ、夜になってソーラーで電力入力を与えられいと、該蓄積タンクのタンク内液体は、昼間に該加熱装置を起動し運転させたため、該タンク内の液体が保温、蓄熱され、引き続き暖房を供給して使用可能で、他の予備電源で該加熱装置を起動する必要はなく、本考案の実用性を向上できる複数の電源選択のある暖房蓄積装置を提供することにある。
【０００７】
本考案の次の目的は、電源選択機器、加熱装置及び蓄積タンクの組合設計によって、該蓄積タンクは、さらに循環システムに接続され、該循環システムは対応する複数の通気管及び少ファンを設けており、暖房を各室内の空間に分配して送出でき、本考案の便利性を向上できる複数の電源選択のある暖房蓄積装置を提供することにある。
【課題を解決するための手段】
【０００８】
前記した目的を達成するために本考案は、電源選択機器、加熱装置及び蓄積タンクを含む。該電源選択機器は、分配セレクター及び無停電電源装置を有し、該分配セレクターは、無停電電源装置内に位置され、該電源選択機器の電力入力選択を制御し、該加熱装置は該電源選択機器に接続され、内部に制御手段とヒータとが設置され、該制御手段は該ヒータを制御し、該蓄積タンクは該加熱装置のヒータに連結され、該蓄積タンクはタンク及び液体を含み、該液体はタンク内に蓄積され、これによって、全体は、マルチ電力入力選択、暖房使用の供給及び省エネルギーの効果を有する。
【考案を実施するための最良の形態】
【０００９】
以下図面を参照しながら本考案の特徴及び具体的な実施例について詳述する。
【００１０】
図１〜図４を参照すると、本考案の複数の電源選択のある冷熱量蓄積装置は、電源選択機器１０、加熱装置２０及び蓄積タンク３０を含む。
【００１１】
該電源選択機器１０は、分配セレクター１１及び無停電電源装置１２を有する。
該分配セレクター１１は、無停電電源装置１２内に位置される。
該電源選択機器１１は、ＤＣ／ＡＣ電力入力を選択でき、ソーラー発電１３や、風力発電１４、水力発電１５、市電型交流電１６のうち少なくとも一つの電力入力で電源として分散するように分配して給電する。
そのうち、該電源選択機器１１は、複数のキャパシター、インダクタンス、力率改善装置 (Power Factor Correction)１１１、二つのMPPT充電器(MPPT charger)１１２、１１３及びコンバータ(ＤＣ/ＤＣ Converter)１１４からなる。
該各ＭＰＰＴ充電器１１２、１１３は、コンバータ１４に接続され、さらに力率改善装置１１１に並列に接続する。
該無停電電源装置１２は、充電器(charger)１２１及びバッテリ(Battery)１２２を含む。
【００１２】
該加熱装置２０は該電源選択機器１０に接続され、内部に制御手段２１とヒータ２２とが設置される。
該制御手段２１は、該ヒータ２２の加熱温度及び感応加熱安全保護を制御する。
該ヒータ２２は、石英抵抗線、赤外線セラミック、セラミック電熱、ハロゲンランプのいずれかの加熱方式を用いることができる。
【００１３】
該蓄積タンク３０は、該加熱装置２０のヒータ２２のパイプに連結される。
該蓄積タンク３０はタンク及び液体を含み、該液体は水、油のいずれか一つを使用し、該液体は該タンク内に蓄積される。
【００１４】
該蓄積タンク３０は、さらに、循環システム４０に接続される。
該循環システム４０は、少なくとも一つの通気管及び少なくとも一つのファンを有し、暖房をリビングルーム４１、寝室４２、台所４３及び書斎４４等に分配して送出できる。
【００１５】
図２〜図３を参照すると、本実施例は、電源選択機器１０、加熱装置２０及び蓄積タンク３０を含む。
該電源選択機器１０は、分配セレクター１１及び無停電電源装置１２を有する。
該分配セレクター１１は、無停電電源装置１２内に位置され、該電源選択機器１１は、ソーラー発電１３、風力発電１４、水力発電１５、市電型交流電１６のうち少なくとも一つの電力入力を選択して電源として分配する。
例えば、昼間の時に、ソーラー発電１３の直流電で電力入力し、日差しが不足または曇りの時に、他のいずれかの電力入力（ソーラー発電１３の直流電入力４０％及び風力発電１４の入力６０％）、または他のいずれかの電力入力の分配組合で、電力を分散して給電でき、電力を直接に出力して該加熱装置２０に供給する。
該加熱装置２０は、内部に制御手段２１とヒータ２２とが設置される。
該制御手段２１は、該ヒータ２２の加熱温度及び感応加熱安全保護を制御する。
該ヒータ２２は、セラミック電熱方式（石英抵抗線、赤外線セラミック、ハロゲンランプ等のいずれかの加熱方式でも良く）を用いる。
該ヒータ２２のパイプは、該蓄積タンク３０のタンク内に任意に迂回延伸して設けられる。
該ヒータ２２は、該タンク内の水（油でも良く）を加熱する。夜になると、該ソーラー発電１３が電力入力を停止してから、該蓄積タンク３０のタンク内の水が、昼間に該加熱装置２０のヒータ２２のパイプと熱交換をしたため、該タンク内の水は保温蓄熱されている。
そのため、暖房を引き続き供給できる。
さらに他の予備電力で該加熱装置２０を起動し加熱する必要はない。
該蓄積タンク３０は、さらに、循環システム４０に接続され、該循環システム４０は、対応の複数の通気管及びファンを設けており、暖房をリビングルーム４１、寝室４２、台所４３及び書斎４４等に分配して送出する。
【００１６】
図１〜図４に示すように、本考案の複数の電源選択のある暖房蓄積装置は、電源選択機器１０、加熱装置２０及び蓄積タンク３０からなる。
該電源選択機器１０の分配セレクター１１は、ソーラー発電１３、風力発電１４、水力発電１５、市電型交流電１６のうち少なくとも一つの電源入力を電源として選択して分配する。
例えば、同時にソーラー発電１３の直流電入力８０％及び市電型交流電１６の入力２０％で分散して給電したり、或いは他のいずれかの電力入力の分配組合で電力を該加熱装置２０に直接に供給したりする。
該分配セレクター１１は、該加熱装置２０を制御して昼間に起動する時に、一番目に優先するソーラー発電１３で、加熱装置２０を起動し運転させ並びに暖房を供給する。
該蓄積タンク３０は、該加熱装置２０のヒータ２２のパイプに連結され、昼間にソーラー発電１３の電力入力を用いる。該ヒータ２２内のパイプは、該蓄積タンク３０のタンク内の液体を加熱し、タンク内の液体を保温蓄熱する。
【００１７】
夜になると、該ソーラー発電１３が電力入力を停止する。該蓄積タンク３０のタンク内の液体は、昼間に該加熱装置２０のヒータ２２と熱交換をして該タンク内に保温蓄熱されているため、他の予備電力で該加熱装置２０を加熱する必要がなくなる。
【００１８】
また、該蓄積タンク３０は、さらに、循環システム４０に接続される。
該循環システム４０は、対応する複数の通気管及びファンを設けており、暖房を室内の各空間、例えば、リビングルーム４１、寝室４２、台所４３及び書斎４４等に分配して送出する。
【００１９】
さらに、一番目に優先するソーラー発電１３は、気候が悪くて給電できず、或いは黄昏で光線不足のために発電不能のときは、該電源選択機器１０は、二番目の風力発電１４、水力発電１５または他の発電（例えば、同時にソーラー発電１３の直流電入力３０％、風力発電１４の２０％及び市電型交流電１６の入力５０％で合わせて１００％の電力を分散して給電し、或いは他のいずれかの電力入力の分配組合）を補助電力入力として供給する。
加熱装置２０が市電型交流電１６を有効に低下し省電力の目的を達成できて、マルチ電力の入力選択及び暖房の供給及び省エネルギーの効果を有する。
【００２０】
前述した具体的な実施例は、単に本考案の特徴や効果を例示するものに過ぎず、本考案の特徴を限定するものではなく、当業者が適宜行なう変換や修飾等も本考案に含まれるべきことは言うまでもないことである。
【図面の簡単な説明】
【００２１】
【図１】本考案の実施例の構造を示すブロック図である。
【図２】本考案の他の実施例の使用状態を示すブロック図である。
【図３】本考案の実施例の接続使用図である。
【図４】本考案の実施例の分配セレクターの詳細回路を示す図である。
【符号の説明】
【００２２】
１０・・・・・・電源選択機器
２０・・・・・・加熱装置
３０・・・・・・蓄積タンク
１１・・・・・・分配セレクター
１２・・・・・・無停電電源装置
１３・・・・・・ソーラー発電
１４・・・・・・風力発電
１５・・・・・・水力発電
１６・・・・・・市電型交流電
１１１・・・・・力率改善装置
１１２、１１３・・ＭＰＰＴ充電器
１１４・・・・・コンバータ
１２１・・・・・充電器
１２２・・・・・バッテリ
２１・・・・・・制御手段
２２・・・・・・ヒータ
４０・・・・・・循環システム
４１・・・・・・リビングルーム
４２・・・・・・寝室
４３・・・・・・台所
４４・・・・・・書斎
【図１】
0003148208.tif 000003
【図２】
0003148208.tif 000004
【図３】
0003148208.tif 000005
【図４】
0003148208.tif 000006